(57)【要約】【課題】文書データの入力に伴う困難性を低減する手段を提供する。【解決手段】入力支援帳１１に含まれるシート上には語句の内容を示す内容画像と語句を識別する識別画像が印刷されている。ユーザにより読み取り装置１２が入力支援帳１１のシートにタッチされると、読み取り装置１２はタッチされた位置の識別画像を含む画像を文書データ生成装置１３に送信する。文書データ生成装置１３は読み取り装置１２から受信した画像に含まれる識別画像に基づきユーザがタッチした語句の内容を特定し、特定した語句を示す語句データを用いて文書データを生成する。文書データ生成装置１３は生成した文書データを画像データ生成装置１５に送信する。画像データ生成装置１５は文書データ生成装置１３から送信された文書データに基づき、新しい版の入力支援帳１１に印刷されるべき内容画像および識別画像を示す画像データを生成する。【選択図】図１
2011044097.tif 000002
【特許請求の範囲】
【請求項１】
語句を各々示す１以上の語句データの各々に関し、当該語句データと当該語句データを識別するための識別画像との対応関係を示す対応関係データを記憶している文書データ生成装置と、
語句を識別するための画像である識別画像と、当該語句の内容を表示する画像である内容画像とが表面に形成されたシート状媒体と、
シート状媒体上に形成された識別画像を読み取り可能な読み取り装置と、
画像データを生成可能な画像データ生成装置と
を備えるシステムにおいて、
前記文書データ生成装置が、前記対応関係データに基づき、前記読み取り装置により読み取られた識別画像に対応する語句データを特定する語句特定ステップと、
前記文書データ生成装置が、前記語句特定ステップにおいて特定した語句データを用いて、文書を示す文書データを生成する文書データ生成ステップと、
前記画像データ生成装置が、前記文書データの生成に用いられた語句データに基づき、一の語句データを決定する語句決定ステップと、
前記画像データ生成装置が、前記一の語句データを識別するための識別画像と、前記一の語句データが示す語句の内容を表示する内容画像とを示す画像データを生成する画像データ生成ステップと、
前記画像データ生成装置が、前記一の語句データと前記一の語句データを識別するための識別画像との対応関係を示す更新用の対応関係データを生成する対応関係データ生成ステップと、
前記文書データ生成装置が、前記更新用の対応関係データを用いて、前記文書データ生成装置に記憶されている対応関係データを更新する対応関係データ更新ステップと
を備える方法。
【請求項２】
語句を各々示す１以上の語句データの各々に関し、当該語句データと当該語句データを識別するための識別画像との対応関係を示す対応関係データを記憶する記憶手段を備える文書データ生成装置と、
語句を識別するための画像である識別画像と、当該語句の内容を表示する画像である内容画像とが表面に形成されたシート状媒体と、
シート状媒体上に形成された識別画像を読み取る読み取り手段を備えた読み取り装置と、
画像データを生成する画像データ生成手段を備える画像データ生成装置と
を備えるシステムであって、
前記文書データ生成装置は、前記対応関係データに基づき、前記読み取り装置により読み取られた識別画像に対応する語句データを特定する語句特定手段を備え、
前記文書データ生成装置は、前記語句特定手段により特定された語句データを用いて、文書を示す文書データを生成する文書データ生成手段を備え、
前記画像データ生成装置は、前記文書データの生成に用いられた語句データに基づき、一の語句データを決定する語句決定手段を備え、
前記画像データ生成装置が備える画像データ生成手段は、前記一の語句データを識別するための識別画像と、前記一の語句データが示す語句の内容を表示する内容画像とを示す画像データを生成し、
前記画像データ生成装置は、前記一の語句データと前記一の語句データを識別するための識別画像との対応関係を示す更新用の対応関係データを生成する対応関係データ生成手段を備え、
前記文書データ生成装置は、前記更新用の対応関係データを用いて、前記記憶手段に記憶している対応関係データを更新する対応関係データ更新手段を備える
システム。
【請求項３】
各々語句を示す１以上の語句データを用いて文書を示す文書データを生成する文書データ生成装置から、前記文書データの生成に用いられた語句データもしくは当該語句データを識別する識別情報を受信する受信手段と、
前記受信手段により受信された語句データもしくは前記受信手段により受信された識別情報により識別される語句データに基づき、一の語句データを決定する語句決定手段と、
前記一の語句データを識別するための識別画像と、前記一の語句データが示す語句の内容を表示する内容画像とを示す画像データを生成する画像データ生成手段と、
前記一の語句データと前記一の語句データを識別するための識別画像との対応関係を示す対応関係データを生成する対応関係データ生成手段と、
前記対応関係データを前記文書データ生成装置に送信する送信手段と
を備える画像データ生成装置。
【請求項４】
前記送信手段は、前記画像データ生成手段により生成された画像データを前記文書データ生成装置に送信する
請求項３に記載の画像データ生成装置。
【請求項５】
前記受信手段により受信された語句データもしくは前記受信手段により受信された識別情報により識別される語句データに基づき、各々広告を表示する画像を示す複数の広告画像データの中から一の広告画像データを選択する広告選択手段を備え、
前記画像データ生成手段は、前記識別画像と前記内容画像とに加え、前記一の広告画像データにより示される画像をさらに示す前記画像データを生成する
請求項３および４のいずれかに記載の画像データ生成装置。
【請求項６】
語句を各々示す１以上の語句データの各々に関し、当該語句データと当該語句データを識別するための識別画像との対応関係を示す対応関係データを記憶する記憶手段と、
シート状媒体上に形成された識別画像を読み取る読み取り装置により読み取られた識別画像を示す識別画像データを取得する識別画像取得手段と、
前記対応関係データに基づき、前記識別画像取得手段により取得された前記識別画像データにより示される識別画像に対応する語句データを特定する語句特定手段と、
前記語句特定手段により特定された語句データを用いて、文書を示す文書データを生成する文書データ生成手段と、
前記文書データの生成に用いられた語句データもしくは当該語句データを識別する識別情報を、画像データを生成する画像データ生成装置に送信する送信手段と、
前記画像データ生成装置から、一の語句データと当該一の語句データを識別するための識別画像との対応関係を示す更新用の対応関係データを受信する受信手段と、
前記更新用の対応関係データを用いて、前記記憶手段に記憶している対応関係データを更新する対応関係データ更新手段と
を備える文書データ生成装置。
【請求項７】
前記受信手段は、前記画像データ生成手段から、前記一の語句データを識別するための識別画像と、前記一の語句データが示す語句の内容を表示する内容画像とを示す画像データを受信する
請求項６に記載の文書データ生成装置。
【請求項８】
前記対応関係データ更新手段は、前記識別画像取得手段により取得された識別画像データが所定の条件を満たす場合に限り、前記対応関係データの更新を行う
請求項６および７のいずれかに記載の文書データ生成装置。
【請求項９】
前記文書データ生成手段は、前記識別画像取得手段により取得された識別画像データが所定の条件を満たす場合に限り、前記文書データの生成を行う
請求項６乃至８のいずれかに記載の文書データ生成装置。
【請求項１０】
前記シート状媒体上に形成された識別画像は前記シート状媒体上において当該識別画像の形成されている座標値を特定可能な画像であり、
前記記憶手段は、所定のユーザの筆跡の特徴を示す筆跡特徴データを記憶し、
前記所定の条件は、前記識別画像取得手段により順次取得された識別画像データの集まりにより示される座標値の集まりが形成する線が、前記筆跡特徴データにより示される特徴を所定の程度以上に有することである
請求項９に記載の文書データ生成装置。
【請求項１１】
各々語句を示す１以上の語句データを用いて文書を示す文書データを生成する文書データ生成装置から、前記文書データの生成に用いられた語句データもしくは当該語句データを識別する識別情報を受信する受信処理と、
前記受信処理において受信した語句データもしくは前記受信処理において受信した識別情報により識別される語句データに基づき、一の語句データを決定する語句決定処理と、
前記一の語句データを識別するための識別画像と、前記一の語句データが示す語句の内容を表示する内容画像とを示す画像データを生成する画像データ生成処理と、
前記一の語句データと前記一の語句データを識別するための識別画像との対応関係を示す対応関係データを生成する対応関係データ生成処理と、
前記対応関係データを前記文書データ生成装置に送信する送信処理と
をコンピュータに実行させるプログラム。
【請求項１２】
語句を各々示す１以上の語句データの各々に関し、当該語句データと当該語句データを識別するための識別画像との対応関係を示す対応関係データを記憶する記憶処理と、
シート状媒体上に形成された識別画像を読み取る読み取り装置により読み取られた識別画像を示す識別画像データを取得する識別画像取得処理と、
前記対応関係データに基づき、前記識別画像取得処理において取得した前記識別画像データにより示される識別画像に対応する語句データを特定する語句特定処理と、
前記語句特定処理において特定した語句データを用いて、文書を示す文書データを生成する文書データ生成処理と、
前記文書データ生成処理において前記文書データの生成に用いた語句データもしくは当該語句データを識別する識別情報を、画像データを生成する画像データ生成装置に送信する送信処理と、
前記画像データ生成装置から、一の語句データと当該一の語句データを識別するための識別画像との対応関係を示す更新用の対応関係データを受信する受信処理と、
前記更新用の対応関係データを用いて、前記記憶処理において記憶した対応関係データを更新する対応関係データ更新処理と
をコンピュータに実行させるプログラム。
【請求項１３】
請求項１１および１２のいずれかに記載のプログラムを記録したコンピュータ読み取り可能な記録媒体。
【発明の詳細な説明】
【技術分野】
【０００１】
本発明は、文書データ生成のための方法、システム、画像データ生成装置、文書データ生成装置、プログラムおよび記録媒体に関する。
【背景技術】
【０００２】
パーソナルコンピュータ等の情報処理装置の操作は、通常、キーボードやキーパッド、マウス等を用いて行われる。これらの入力デバイスを用いた情報処理装置の操作は、必ずしも万人にとって容易なものではない。例えば視力や手先の器用さに衰えを感じるお年寄りにとって、キーボードやキーパッドを用いて正確に文字を入力したり、マウスを用いて正確に画面上の特定の位置を指定したりすることは、相当の困難が伴う作業である。
【０００３】
情報処理装置に対する操作を容易化する技術として、例えば特許文献１には、ドットパターンが表面に形成された媒体上にアイコンを印刷しておくと同時に、ドットパターンが示すコード値または座標値に対応するデータを予め定義しておき、ユーザがペン型スキャナにより所望するアイコン付近をスキャンした際に、ペン型スキャナにより読み取られたドットパターンが示すコード値または座標値に対応するデータへのアクセスを許可するシステムが提案されている。
【先行技術文献】
【特許文献】
【０００４】
【特許文献１】特開２００８−１５２７４６号公報
【発明の概要】
【発明が解決しようとする課題】
【０００５】
インターネット等の広域ネットワークの普及に伴い、電子メール等の形でネットワークを介した文書データの送受信が広く利用されるようになっている。ネットワークを介して文書データを送信するためには、ユーザが情報処理装置を操作して文書データを生成する必要がある。もし情報処理装置への文書データの入力操作が容易であれば、例えば視力や手先の器用さに衰えを感じるお年寄りであっても、電子メール等により容易かつ迅速に相手にメッセージを伝えることができる。
【０００６】
文書の作成においては、膨大な数の語句からユーザが希望する語句を選択し並べる作業が伴う。従って、文書データの入力において、例えば特許文献１に提案されている技術を単純に採用した場合、様々なユーザが文書作成時に用いる可能性のある膨大な数の語句に関し、アイコンを表面に形成した媒体を準備する必要がある。ユーザは、それらの膨大な数のアイコンの中から文書作成に要する語句を示すアイコンを探し出さねばならず、必ずしも文書データの入力に伴う困難性が低減されない。
【０００７】
本発明は、上記の状況に鑑み、文書データの入力に伴う困難性を低減する手段を提供することを目的とする。
【課題を解決するための手段】
【０００８】
上記課題を達成するために、本発明は、語句を各々示す１以上の語句データの各々に関し、当該語句データと当該語句データを識別するための識別画像との対応関係を示す対応関係データを記憶している文書データ生成装置と、語句を識別するための画像である識別画像と、当該語句の内容を表示する画像である内容画像とが表面に形成されたシート状媒体と、シート状媒体上に形成された識別画像を読み取り可能な読み取り装置と、画像データを生成可能な画像データ生成装置とを備えるシステムにおいて、前記文書データ生成装置が、前記対応関係データに基づき、前記読み取り装置により読み取られた識別画像に対応する語句データを特定する語句特定ステップと、前記文書データ生成装置が、前記語句特定ステップにおいて特定した語句データを用いて、文書を示す文書データを生成する文書データ生成ステップと、前記画像データ生成装置が、前記文書データの生成に用いられた語句データに基づき、一の語句データを決定する語句決定ステップと、前記画像データ生成装置が、前記一の語句データを識別するための識別画像と、前記一の語句データが示す語句の内容を表示する内容画像とを示す画像データを生成する画像データ生成ステップと、前記画像データ生成装置が、前記一の語句データと前記一の語句データを識別するための識別画像との対応関係を示す更新用の対応関係データを生成する対応関係データ生成ステップと、前記文書データ生成装置が、前記更新用の対応関係データを用いて、前記文書データ生成装置に記憶されている対応関係データを更新する対応関係データ更新ステップとを備える方法を提供する。
【０００９】
また、本発明は、上記方法を実行するためのシステム、画像データ生成装置、文書データ生成装置、プログラムおよび記録媒体を提供する。
【発明の効果】
【００１０】
本発明によれば、文書データ生成装置においてユーザが文書作成の際に選択した語句に基づき生成された画像データに従い、当該ユーザにとって使いやすい内容画像が表面に形成されたシート状媒体の作成が可能となる。当該ユーザは、このようにカスタマイズされたシート状媒体を用いることにより、カスタマイズされないシート状媒体を用いる場合と比較し、より軽い負担で文書データの入力を行うことができる。
【図面の簡単な説明】
【００１１】
【図１】本発明の第１実施形態にかかる文書データ入力システムの全体構成を示した図である。
【図２】本発明の第１実施形態にかかるシート上に印刷されている画像を例示した図である。
【図３】本発明の第１実施形態にかかる文書データ生成装置の構成を示した図である。
【図４】本発明の第１実施形態にかかる文書データ生成装置に記憶されている対応関係データの構成を示した図である。
【図５】本発明の第１実施形態にかかる画像データ生成装置の構成を示した図である。
【図６】本発明の第１実施形態にかかる画像データ生成装置に記憶されているデータの構成を示した図である。
【図７】本発明の第１実施形態にかかる文書データ入力システムの動作例を示したフロー図である。
【図８】本発明の第１実施形態にかかる文書データ入力システムの動作例を示したフロー図である。
【図９】本発明の第１実施形態にかかる文書データ生成装置に表示される画面を示した図である。
【図１０】本発明の第１実施形態にかかる修正された入力支援帳雛型データの複製の構成を示した図である。
【図１１】本発明の第１実施形態にかかる入力支援帳の内容を示した図である。
【図１２】本発明の第２実施形態にかかる文書データ入力システムの全体構成を示した図である。
【図１３】本発明の第２実施形態にかかる文書データ入力システムにおいて用いられるシートに印刷されている識別画像を例示した図である。
【図１４】本発明の第２実施形態にかかる文書データ生成装置に記憶されている対応関係データの構成を示した図である。
【図１５】本発明の第２実施形態にかかる文書データ生成装置に記憶されている識別画像データベースの構成を示した図である。
【図１６】本発明の第２実施形態にかかる画像データ生成装置の構成を示した図である。
【図１７】本発明の第２実施形態にかかる画像データ生成装置に記憶されている広告画像データベースの構成を示した図である。
【図１８】本発明の第２実施形態にかかる文書データ入力システムの動作例を示したフロー図である。
【図１９】本発明の第２実施形態にかかる文書データ入力システムの動作例を示したフロー図である。
【図２０】本発明の第２実施形態にかかる入力支援帳の内容を示した図である。
【発明を実施するための形態】
【００１２】
［１．第１実施形態］
［１．１．構成］
本発明の一実施形態として、以下に文書データ入力システム１の構成および動作を説明する。図１は、文書データ入力システム１の全体構成を示した図である。文書データ入力システム１は、表面に画像の印刷されたシート状媒体（以下、単に「シート」と呼ぶ）を複数枚綴じてなる入力支援帳１１と、入力支援帳１１に含まれるシート上の画像を読み取る読み取り装置１２と、予め記憶している複数の語句データの中から読み取り装置１２により読み取られた画像に基づき選択した語句データを組み合わせて文書データを生成する文書データ生成装置１３を備えている。
【００１３】
文書データ入力システム１はさらに、文書データ生成装置１３とインターネットとの間でデータの中継を行うアクセスポイント１４と、アクセスポイント１４およびインターネットを介して文書データ生成装置１３から文書データの生成に用いられた語句データを受信し、受信した語句データに基づき新しい版の入力支援帳１１に印刷されるべき画像を示す画像データを生成する画像データ生成装置１５と、インターネットに接続され電子メールの送受信を管理するメールサーバ１６と、画像データに従いシート上に画像を印刷するプリンタ１７を備えている。
【００１４】
なお、文書データ入力システム１においては複数のユーザが各々異なる文書データ生成装置１３を使用する。従って、実際には文書データ入力システム１を構成する入力支援帳１１、読み取り装置１２、文書データ生成装置１３、アクセスポイント１４およびプリンタ１７は複数であるが、図１においてはそれらのセットが１セットのみ示されている。
【００１５】
図２は、入力支援帳１１に含まれるシート状媒体上に形成されている画像を例示した図である。文書データ入力システム１においては、各ユーザに対し個別にカスタマイズされた入力支援帳１１が提供される。また、時間の経過に伴い、同じユーザに対して新しい版の入力支援帳１１が提供される。図２には、大田華子というユーザ用の第３版の入力支援帳１１の一部が例示されている。
【００１６】
入力支援帳１１には、文書の作成に利用される可能性の高い様々な語句の内容を示す画像が、「あいさつ」、「返事」、「断り」、「お願い」といったグループに区分されて印刷されている。また、入力支援帳１１に含まれる各ページには、文書データ生成装置１３に対するコマンド（操作指令）の内容を示す画像が印刷されている。以下、語句の内容やコマンドの内容を示す画像を「内容画像」と呼ぶ。
【００１７】
例えば、図２（Ａ）に示されるページには、「あいさつ」というグループに区分された「おはよう」、「こんにちは」、「こんばんは」、「おやすみ」および「さようなら」という語句を示す内容画像が印刷されている。また、図２（Ａ）に示されるページには、文書データ生成装置１３の表示部に表示されるカーソルを上下左右に移動させ語句の選択を指示する「↑」、「↓」、「←」および「→」と、語句の確定を指示する「確定」、語句の削除を指示する「削除」という内容画像が印刷されている。
【００１８】
各ページには、内容画像に加え、ページ内の複数の領域の各々に関し、その領域に固有のパターンを示す識別画像が背景に印刷されている。図２（Ａ）の例では、「おはよう」という内容画像が印刷されている領域（ａ）の背景に、格子線に囲まれた複数の星マークで構成されるパターン画像が識別画像として印刷されている。また、「こんにちは」という内容画像が印刷されている領域（ｂ）には、領域（ａ）に印刷されている識別画像とは異なるパターン画像が識別画像として印刷されている。他の領域（ｃ）〜（ｋ）についても同様である。以下の説明において各領域を区別する必要がある場合、その領域に印刷されている内容画像に応じて、例えば領域「おはよう」のように呼ぶ。
【００１９】
文書データ入力システム１においては、識別画像により、同じ入力支援帳１１に含まれる領域間のみならず、異なるユーザの入力支援帳１１に含まれる領域や、同じユーザの異なる版の入力支援帳１１に含まれる領域との間においても、個々の領域が識別される。そのための最も簡単な方法は、全ての入力支援帳１１の全ての領域に異なる識別画像を割り当てることである。その場合、例えば、文書データ入力システム１のユーザが１００００人おり、各入力支援帳１１に含まれるページ数が１００ページであり、各ページに１０個の領域が含まれ、１人のユーザ用に１００版まで入力支援帳１１の更新版が作成されるとすると、全体として１０億種類の識別画像が必要となる。識別画像に用いるマークの形状、方向、数、サイズ、マーク間の相対的な位置関係等を各々変更することにより、１０億種類の識別画像を準備することにさほどの困難は伴わない。
【００２０】
ただし、文書データ入力システム１においては、文書データ生成装置１３の使用開始時に文書データ生成装置１３と入力支援帳１１との対応関係がチェックされる（後述）。従って、実際には同じユーザの入力支援帳１１（異なる版のものを含む）において同じ識別画像が異なる語句やコマンドに用いられていなければ、全ての入力支援帳１１に含まれる領域ごとに異なる識別画像が用いられる必要はない。
【００２１】
図２（Ｂ）には、入力支援帳１１の他のページの例として、グループ「苗字」のページが示されている。また、図２（Ｃ）には、入力支援帳１１の他のページの例として、グループ「１文字」のページが示されている。グループ「１文字」に区分された語句は、「あ」、「い」、「う」、・・・といった１文字を示す語句である。本願において、「語句」という言葉は１文字以上の文字または文字列を全て含む概念として用いられる。従って、それのみでは意味をなさない１文字も本願における語句に含まれる。グループ「１文字」のページは、ユーザが他のページにて希望の語句を発見できなかった場合に、順次文字を選択することで希望の語句を入力するために用いられる。
【００２２】
また、図２（Ｄ）は入力支援帳１１の表紙ページを例示している。表紙ページには、上述した「↑」等のコマンドを示す内容画像に加え、受信した電子メールの開封指示を示す「開く」、開かれている電子メールに対する返信メールの作成指示を示す「返信する」、新規の電子メールの作成指示を示す「新しく作る」、電子メールの宛先、タイトルおよび本文の入力指示を各々示す「宛先」、「タイトル」および「本文」、作成した電子メールの送信指示を示す「送る」という内容画像が印刷されている。
【００２３】
また、表紙ページに右下端には、文書データ生成装置１３の操作受付の開始指示を示す「始める」という内容画像が印刷されている。領域「始める」の周囲には切り取り線が印刷されており、ユーザは切り取り線に従って領域「始める」を切り取って人目につかない場所に保管しておくことで、自分の文書データ生成装置１３を他人に無断使用されないようにすることができる。
【００２４】
読み取り装置１２はペン型の筐体を有し、その筐体の先端部にスイッチを備え、その筐体内に発光ダイオード、ＣＭＯＳイメージセンサ、発音部、無線送信部および電池を備えている。筐体先端部に設けられたスイッチは、外部から押されると発光ダイオード、ＣＭＯＳセンサおよび発音部に対しトリガ信号を出力する。スイッチからトリガ信号が入力されると、発光ダイオードは所定の短時間、ペン型の筐体の先端方向に光を照射し、ＣＭＯＳセンサは発光ダイオードから照射された光の反射光を読み取って光の照射面に印刷されている画像を示す画像データを生成し、発音部は画像データの生成の確認音を発音する。ＣＭＯＳセンサにより生成された画像データは、無線送信部により電波信号に変換され、文書データ生成装置１３に送信される。
【００２５】
図３は、文書データ生成装置１３の構成を示した図である。文書データ生成装置１３は、文書データ生成装置１３の各構成部の動作を制御する制御部１３１と、文書データ生成装置１３の識別情報等を予め記憶しているＲＯＭ（Ｒｅａｄ  Ｏｎｌｙ  Ｍｅｍｏｒｙ）１３２と、制御部１３１がワークエリアとして使用する揮発性記憶部１３３と、制御部１３１の処理を指示するプログラム、語句と識別画像との対応関係を示す対応関係データ、語句の変換辞書等を記憶する不揮発性記憶部１３４を備えている。
【００２６】
図４は、不揮発性記憶部１３４に記憶されている対応関係データの構成を示した図である。文書データ生成装置１３には、自機用の入力支援帳１１の各版に対応する対応関係データが記憶されている。各版の対応関係データには、各領域に対応する複数のレコードデータが含まれている。各レコードデータは、識別画像が印刷されているページ番号を示す「ページ番号」、識別画像（１格子分）の形状を示す「識別画像」、識別画像により識別される内容が語句およびコマンドのいずれであるかを示す「語句／コマンド」、識別画像により識別される語句もしくはコマンドの内容を示す「内容」というフィールドを有している。各版の対応関係データの先頭のレコードデータは、その版の領域「始める」に関するレコードデータである。
【００２７】
文書データ生成装置１３はさらに、制御部１３１の制御に従い図形や文字等により情報を表示する表示部１３５と、読み取り装置１２から送信される画像データを受信する画像データ受信部１３６と、無線によりアクセスポイント１４と通信しアクセスポイント１４を介してインターネットとの間でデータ通信を行う対インターネット通信部１３７と、プリンタ１７との間で無線によるデータ通信を行う対プリンタ通信部１３８を備えている。対インターネット通信部１３７および対プリンタ通信部１３８は各々、相手の装置へデータを送信する送信部と、相手の装置からデータを受信する受信部を備えている。
【００２８】
制御部１３１は、揮発性記憶部１３３に記憶されているプログラムに従う処理を行うことにより、読み取り装置１２から受信した画像データにより示される識別画像に対応する語句データを特定する語句特定部と、語句特定部により特定された語句データを用いて文書データを生成する文書データ生成部と、画像データ生成装置１５から送信される更新用の対応関係データを用いて不揮発性記憶部１３４に記憶されている対応関係データを更新する対応関係データ更新部として機能する。
【００２９】
図５は、画像データ生成装置１５の構成を示した図である。画像データ生成装置１５は、画像データ生成装置１５の各構成部の動作を制御する制御部１５１と、制御部１５１がワークエリアとして使用する揮発性記憶部１５２と、制御部１５１の処理を指示するプログラム、語句と識別画像との対応関係を示す対応関係データ等を記憶する不揮発性記憶部１５３と、インターネットを介して他の装置との間でデータ通信を行う対インターネット通信部１５４を備えている。対インターネット通信部１５４は、相手の装置へデータを送信する送信部と、相手の装置からデータを受信する受信部を備えている。
【００３０】
図６は、不揮発性記憶部１５３に記憶されているデータの構成を示した図である。画像データ生成装置１５には、文書データ入力システム１において利用される複数の文書データ生成装置１３の各々に関するデータである端末個別データ１５３０が記憶されている。端末個別データ１５３０の各々には、まず、対応する文書データ生成装置１３を識別する「識別情報」と、ユーザの氏名を示す「ユーザ名」と、最新版の入力支援帳１１に印刷されるべき画像を示す画像データの生成された日時を示す「最終更新日時」が含まれている。
【００３１】
端末個別データ１５３０の各々には、さらに、入力支援帳１１の各版に対応する対応関係データ１５３１が記憶されている。画像データ生成装置１５に記憶されている対応関係データ１５３１は、各文書データ生成装置１３に記憶されている対応関係データの複製である。正確には、画像データ生成装置１５において生成された対応関係データ１５３１の複製が文書データ生成装置１３に送信され記憶される（後述）。
【００３２】
端末個別データ１５３０の各々には、さらに、語句使用履歴データ１５３２と、語句使用頻度ランキングデータ１５３３が記憶されている。語句使用履歴データ１５３２は、「日時」および「語句」というフィールドを有するレコードデータの集まりである。フィールド「語句」は、文書データ生成装置１３から送信された電子メールに含まれる文章を文節単位に分解して得られた語句を示す語句データを示し、フィールド「日時」は電子メールの送信日時を示す。文書データ生成装置１３は、過去所定の期間、例えば過去６ヶ月間を超えた古い電子メールに関するレコードデータを語句使用履歴データ１５３２から順次削除する。
【００３３】
語句使用頻度ランキングデータ１５３３は、「使用頻度」、「語句」および「グループ」というフィールドを有するレコードデータの集まりである。フィールド「語句」は語句使用履歴データ１５３２に１以上登場する語句データを示し、フィールド「使用頻度」は対応する語句データが語句使用履歴データ１５３２に登場する回数を示し、フィールド「グループ」は対応する語句データが属するグループを示す。語句使用履歴データ１５３２のレコードデータは、フィールド「使用頻度」が大きいものから順にソートされている。
【００３４】
不揮発性記憶部１５３には、さらに、全ての文書データ生成装置１３に共通に用いられる語句データベース１５３４と、入力支援帳雛型データ１５３５が記憶されている。語句データベース１５３４には、様々な語句に関し、「語句」および「グループ」というフィールドを有するレコードデータが含まれている。フィールド「語句」は語句データを示し、フィールド「グループ」はその語句が属するグループを示す。語句使用頻度ランキングデータ１５３３のフィールド「グループ」の内容は、語句データベース１５３４に基づき決定される。
【００３５】
入力支援帳雛型データ１５３５は、各ユーザ用の第１版の入力支援帳１１に印刷されるべき内容画像を示すデータである。すなわち、第１版の入力支援帳１１に印刷される内容画像は全て入力支援帳雛型データ１５３５に従い生成されたものであるため、いずれのユーザ用のものも共通である。一方、第１版の入力支援帳１１に印刷される識別画像は画像データ生成装置１５により各ユーザに個別に割り当てられる。
【００３６】
入力支援帳雛型データ１５３５には、第１版の入力支援帳１１に印刷される内容画像の各々に関し、「ページ番号」、「グループ」、「領域」、「語句／コマンド」および「内容」というフィールドを有するレコードデータが含まれている。フィールド「ページ番号」は内容画像が印刷されるページ番号、フィールド「グループ」は内容画像が示す内容の属するグループ、フィールド「領域」は内容画像が印刷される領域の位置、フィールド「語句／コマンド」は内容画像が示す内容が語句およびコマンドのいずれであるか、そしてフィールド「内容」は内容画像が示す語句もしくはコマンドの内容を示す。なお、フィールド「領域」は、例えばページ左上の座標（０，０）とし、右方向をｘ座標、下方向をｙ座標とした場合において、領域の左上の頂点および右下の頂点の座標（単位：ミリメートル）により、その領域の位置を示す。
【００３７】
なお、各ユーザ用の第２版以降の入力支援帳１１に印刷される内容画像は、語句使用頻度ランキングデータ１５３３に基づき修正の加えられた入力支援帳雛型データ１５３５に従い生成される。語句使用頻度ランキングデータ１５３３は各ユーザの文書データ生成装置１３毎に異なるため、第２版以降の入力支援帳１１に関しては、異なるユーザ用の入力支援帳１１に印刷される内容画像は互いに異なるものとなる。なお、第２版以降の入力支援帳１１に関しても、識別画像が各ユーザに個別に割り当てられる点は第１版と同様である。
【００３８】
［１．２．動作］
続いて、文書データ入力システム１の動作を説明する。図７および図８は文書データ入力システム１の動作例を示したフロー図である。文書データ生成装置１３のユーザ（以下、単に「ユーザ」と呼ぶ）が文書データ生成装置１３の電源を入れると（ステップＳ１０１）、文書データ生成装置１３は例えば「“始める”ラベルをタッチして下さい。」というメッセージを表示する。この表示に応じて、ユーザは自分の手元にある入力支援帳１１から予め切り取って保管してあった領域「始める」のシート片に読み取り装置１２の先端を押しつける。その結果、読み取り装置１２は領域「始める」の画像を示す画像データを生成し、生成した画像データを文書データ生成装置１３に送信する。以下、読み取り装置１２の先端をシートに押しつけてシート上の画像を読み取らせる操作を「タッチ」と呼ぶ。
【００３９】
文書データ生成装置１３は、読み取り装置１２から受信した画像データが示す画像に含まれる識別画像の１格子分を切り出す（ステップＳ１０２）。文書データ生成装置１３は、切り出した識別画像を不揮発性記憶部１３４に記憶している各版の対応関係データの先頭のレコードデータのフィールド「識別画像」と順次比較する。受信した画像データより得られた識別画像が、いずれの対応関係データの先頭のレコードデータに含まれるフィールド「識別画像」とも一致しない場合（ステップＳ１０３；Ｎｏ）、文書データ生成装置１３はエラーメッセージを表示した後、以下に説明する文書データ生成装置１３の処理を一切行わない。そのため、文書データ生成装置１３に応じた正しいシート片を持っている者以外は文書データ生成装置１３を使用することができない。
【００４０】
一方、読み取り装置１２から受信した画像データより得られた識別画像が、いずれかの対応関係データの先頭のレコードデータのフィールド「識別画像」と一致した場合（ステップＳ１０３；Ｙｅｓ）、文書データ生成装置１３はまず、予め文書データ生成装置１３に登録されている電子メールのアカウント情報を用いて、メールサーバ１６から未読の電子メールをダウンロードする。ダウンロードされた電子メールは表示部１３５に表示される（ステップＳ１０４）。
【００４１】
ダウンロードされた電子メールが複数ある場合、ユーザは領域「↑」や領域「↓」をタッチすることで、前後の電子メールに移動することができる。例えば、ユーザが領域「↓」をタッチした場合、領域「↓」の画像が読み取り装置１２により読み取られ、画像データとして文書データ生成装置１３に送信される。文書データ生成装置１３は読み取り装置１２から受信した画像データに示される画像から１格子分の識別画像を切り出し、不揮発性記憶部１３４に記憶されている対応関係データの中から、フィールド「識別画像」が切り出した識別画像と一致するレコードデータを検索する。その結果、フィールド「内容」が「↓」であるレコードデータが検索される。このようにして、ユーザによりタッチされた語句またはコマンドが文書データ生成装置１３により特定される。
【００４２】
続いて、ユーザは入力支援帳１１の表紙ページの領域「返信」をタッチする。そのタッチ操作に応じて、文書データ生成装置１３は対応関係データの中から内容「返信」を示すレコードデータを検索する。文書データ生成装置１３は検索したレコードデータの内容に従い返信用の電子メールデータを生成する（ステップＳ１０５）。返信用の電子メールデータにおいては、宛先欄にそれまで表示されていた電子メールの送信元アドレスが、タイトル欄にそれまで表示されていた電子メールのタイトルの冒頭に「Ｒｅ：」を付したものが、それぞれ自動入力される。
【００４３】
なお、ユーザは返信用の電子メールではなく、全く新しく電子メールを作成したい場合、領域「新しく作成」をタッチした後、文書データ生成装置１３により生成される電子メールデータの宛先欄およびタイトル欄に必要なデータの入力を行う。
【００４４】
続いて、ユーザはステップＳ１０５において生成された電子メールデータの本文欄への入力を行う。例えば、「こんにちは、お知らせをありがとう。」という文書を入力する場合、ユーザはまず表紙ページの領域「本文」をタッチした後、グループ「あいさつ」のページの領域「こんにちは」をタッチする。文書データ生成装置１３はユーザのタッチ操作に応じて、図９に示すように、語句「こんにちは」とそれの変化形をリスト表示する。なお、文書データ生成装置１３が「こんにちは」の変化形を取得する際には、不揮発性記憶部１３４に記憶されている語句の変換辞書が用いられる。ユーザは領域「↑」もしくは領域「↓」をタッチして希望する語句をリストから選択した後、領域「確定」をタッチして選択した語句の本文欄への入力を確定する。
【００４５】
続いて、ユーザは入力支援帳１１の中の領域「お知らせ」、領域「ありがとう」をタッチし、上述した語句「こんにちは」と同様の操作により文書「こんにちは、お知らせをありがとう。」を完成させる（ステップＳ１０６）。ユーザにより表紙ページの領域「送信」がタッチされると、文書データ生成装置１３は上記のように作成された電子メールデータをメールサーバ１６に送信する（ステップＳ１０７）。
【００４６】
続いて、文書データ生成装置１３はメールサーバ１６に送信した電子メールデータの内容を含む画像データ生成装置１５宛の電子メールデータである複製電子メールデータを生成する。複製電子メールデータは、宛先欄に画像データ生成装置１５のメールアドレスを、タイトル欄に文書データ生成装置１３の識別情報を、本文欄にステップＳ１０７において送信された電子メールデータに含まれる宛先欄、タイトル欄および本文欄の内容を含んでいる。文書データ生成装置１３は生成した複製電子メールデータを画像データ生成装置１５に送信する（ステップＳ１０８）。
【００４７】
文書データ生成装置１３は生成した複製電子メールデータをメールサーバ１６に送信する（ステップＳ１０９）。画像データ生成装置１５は定期的に自機のメールアドレス宛の電子メールをメールサーバ１６からダウンロードする。その結果、複製電子メールデータが画像データ生成装置１５により受信される（ステップＳ１１０）。
【００４８】
画像データ生成装置１５は、受信した複製電子メールデータの本文欄により示される文書を文節単位に分解し、分解した文節単位の語句を複製電子メールデータの送信時刻を示す時刻情報に対応付けて、タイトル欄に含まれる識別情報に対応する語句使用履歴データ１５３２に追加する（ステップＳ１１１）。画像データ生成装置１５は、ステップＳ１１１において更新した語句使用履歴データ１５３２に基づき、語句使用頻度ランキングデータ１５３３の更新を行う（ステップＳ１１２）。
【００４９】
ユーザが電子メールの作成・送信を行う毎に、上記のステップＳ１０１（文書データ生成装置１３の起動を伴わない場合はステップＳ１０４）〜ステップＳ１１２の処理が繰り返される。その結果、語句使用履歴データ１５３２および語句使用頻度ランキングデータ１５３３が日々更新される。一方、画像データ生成装置１５は、各々の文書データ生成装置１３に関し、端末個別データ１５３０に含まれる「最終更新日時」により示される日時から所定期間（例えば１ヶ月間）が経過したか否かを日々監視している（ステップＳ１１３）。
【００５０】
画像データ生成装置１５は、「最終更新日時」により示される日時から所定期間が経過したと判定した文書データ生成装置１３に関し、新しい版の入力支援帳１１に印刷されるべき画像データの生成を行う（ステップＳ１１４）。ステップＳ１１４の画像データの生成は、例えば以下のようにして行われる。
【００５１】
まず、画像データ生成装置１５は、入力支援帳雛型データ１５３５の複製を生成し、その複製をその時点の語句使用頻度ランキングデータ１５３３に基づき修正する。例えば画像データ生成装置１５は、語句使用頻度ランキングデータ１５３３からフィールド「グループ」が「あいさつ」であるレコードデータを抽出し、抽出したレコードデータのフィールド「内容」により示される内容画像が、そのランキング順にグループ「あいさつ」のページに印刷されるように、入力支援帳雛型データ１５３５の複製のフィールド「ページ番号」、フィールド「領域」、フィールド「内容」を修正する。画像データ生成装置１５は「あいさつ」以外のグループについても同様の修正処理を行う。
【００５２】
次に、画像データ生成装置１５は上記のように修正した入力支援帳雛型データ１５３５の複製のフィールド「語句／コマンド」の前に、新しくフィールド「識別画像」を追加する。図１０は、フィールド「識別画像」が追加された後の入力支援帳雛型データ１５３５の複製の構成を示した図である。
【００５３】
次に、画像データ生成装置１５は、対応関係データ１５３１に含まれるフィールド「識別画像」により示される識別画像のいずれとも異なる識別画像を順次生成して、入力支援帳雛型データ１５３５の複製のフィールド「識別画像」に生成した識別画像を登録してゆく。画像データ生成装置１５は、上記のように修正を施した入力支援帳雛型データ１５３５に従い、新しい版の入力支援帳１１の各ページに印刷されるべき画像を示す画像データを生成する。以上がステップＳ１１４の処理の説明である。
【００５４】
続いて、画像データ生成装置１５は、ステップＳ１１４において修正を施した入力支援帳雛型データ１５３５（図１０参照）に含まれるフィールド「グループ」およびフィールド「領域」を削除して、更新用の対応関係データを生成する（ステップＳ１１５）。ステップＳ１１５において生成される更新用の対応関係データは、新しい版の入力支援帳１１に印刷されるべき内容画像と識別画像の対応関係を示すデータである。
【００５５】
画像データ生成装置１５はステップＳ１１４において生成した画像データと、ステップＳ１１５において生成した更新用の対応関係データを文書データ生成装置１３に送信する（ステップＳ１１６）。画像データ生成装置１５は、端末個別データ１５３０に含まれる「最終更新日時」を、ステップＳ１１６を行った日時を示すように更新する（ステップＳ１１７）。
【００５６】
文書データ生成装置１３はステップＳ１１６において画像データ生成装置１５から送信された更新用の対応関係データを最新版の入力支援帳１１に関する対応関係データとして、不揮発性記憶部１３４に追加保存する。その結果、不揮発性記憶部１３４に保存されている対応関係データは最新版の対応関係データを含むものに更新される（ステップＳ１１８）。
【００５７】
続いて、文書データ生成装置１３はステップＳ１１６において画像データ生成装置１５から送信された画像データに従った印刷の指示をプリンタ１７に送信する（ステップＳ１１９）。プリンタ１７は文書データ生成装置１３から送信された指示に従い、新しいシート上に画像を印刷する（ステップＳ１２０）。ユーザは印刷されたシートを製本し、新しい版の入力支援帳１１を作成する。
【００５８】
図１１は、上記のような文書データ入力システム１の一連の処理により、入力支援帳１１の内容が、ユーザの作成した文書の内容に応じて変更された例を示した図である。図１１に示される新しい版のページは、図２（Ｂ）に示される古い版のページに対応している。新しい版においては、ユーザが文書の作成において最近頻繁に使用した「宇崎」という姓がグループ「苗字」のページにおいて最初に印刷されている。
【００５９】
上記のように、文書データ入力システム１によれば、ユーザは日々文書データの入力を行うことで自分用にカスタマイズされた入力支援帳１１を手に入れることができ、その後の文書データの入力をより容易に行うことができる。
【００６０】
［２．第２実施形態］
［２．１．構成］
本発明の他の一実施形態として、以下に文書データ入力システム２の構成および動作を説明する。文書データ入力システム２の構成および動作は多くの点で文書データ入力システム１の構成および動作と共通している。従って、以下においては文書データ入力システム２が文書データ入力システム１と異なる点を重点的に説明する。また、文書データ入力システム２の構成要素のうち、文書データ入力システム１と共通もしくは対応する構成要素には文書データ入力システム１の説明において用いた符号と同じ符号を用いる。文書データ入力システム２が文書データ入力システム１と異なる主な点は以下の４点である。
【００６１】
（１．識別画像による位置特定）
まず、文書データ入力システム２において用いられる入力支援帳１１に印刷されている識別画像は各々、いずれの入力支援帳１１のいずれのページのいずれの位置に印刷されているかを特定可能な識別画像である。そのため、文書データ入力システム２の文書データ生成装置１３においては、ユーザがタッチした位置がまず特定され、続いて特定された位置を含む領域に対応する語句もしくはコマンドが特定される。
【００６２】
（２．本人認証）
次に、文書データ入力システム２においては、ユーザによりタッチされた位置が特定可能であることを利用し、ユーザの筆跡に基づく本人認証が行われる。そのため、文書データ入力システム２においては、ユーザ以外の者による文書データ生成装置１３の不正利用が文書データ入力システム１における場合以上に確実に防止される。
【００６３】
（３．広告画像の付加）
次に、文書データ入力システム２においては、入力支援帳１１の各ページに、ユーザの最近の関心事に関連する広告画像が印刷される。異なる版の入力支援帳１１には異なる広告画像が印刷される。
【００６４】
（４．入力支援帳の作成方法）
次に、文書データ入力システム２においては、上述した位置特定を可能とする識別画像が予め印刷されたシートに対し、画像データ生成装置１５により生成された画像データに従って内容画像および広告画像が印刷される。入力支援帳１１の各ページはイメージスキャナにより読み取られ、各々の識別画像が印刷されている位置の登録が行われる。
【００６５】
続いて、文書データ入力システム２の構成を説明する。図１２は、文書データ入力システム２の全体構成を示した図である。文書データ入力システム２においては、プリンタ１７が画像データ生成装置１５に接続されている。また、画像データ生成装置１５には、シート上に印刷された画像を光学的に読み取って画像データを生成するイメージスキャナ１８が接続されている。また、プリンタ１７のシート排出部はイメージスキャナ１８のシートフィーダ部に連結されており、プリンタ１７により印刷の行われたシートはイメージスキャナ１８に搬送されて読み取られる。
【００６６】
文書データ入力システム２における読み取り装置１２の構成は、文書データ入力システム１における読み取り装置１２とほぼ同様である。ただし、文書データ入力システム２においては、筐体先端部に設けられたスイッチが所定時間（例えば１秒間）以上継続して押された場合、スイッチから十分に短い時間間隔（例えば１０ミリ秒間隔）でトリガ信号がＣＭＯＳセンサに対し繰り返し出力される。従って、ユーザが読み取り装置１２を用いてシートに対し筆記操作を行った場合、ユーザにより描かれた線上に印刷されている識別画像を示す画像データが順次、読み取り装置１２から文書データ生成装置１３に送信される。
【００６７】
図１３は、文書データ入力システム２において用いられるシートに予め印刷されている識別画像を例示した図である。文書データ入力システム２における識別画像は、格子に囲まれた領域に所定サイズのドットが所定数、配置された画像である。同じユーザ用の入力支援帳１１の作成に用いられるシートに印刷されている格子単位の識別画像は全て異なっている。従って、ユーザによりタッチされた位置の格子単位の識別画像に含まれるドットの相対的な位置関係により、ユーザによりタッチされた位置が特定可能となる。
【００６８】
文書データ入力システム２における文書データ生成装置１３の構成は、対プリンタ通信部１３８を備えない点を除き、文書データ入力システム１における文書データ生成装置１３の構成と同様である。図１４は、文書データ入力システム２の文書データ生成装置１３が備える不揮発性記憶部１３４に記憶されている対応関係データの構成を示した図である。文書データ入力システム２における対応関係データは、フィールド「識別画像」の代わりにフィールド「領域」を備える点を除き、文書データ入力システム１における対応関係データと同様である。フィールド「領域」は、例えばページ左上の座標（０，０）とし、右方向をｘ座標、下方向をｙ座標とした場合において、領域の左上の頂点および右下の頂点の座標（単位：ミリメートル）により、対応する内容画像が印刷されている領域の位置を示すデータである。
【００６９】
文書データ入力システム２においては、文書データ生成装置１３の不揮発性記憶部１３４には、対応関係データ（図１４参照）に加え、識別画像とその識別画像の印刷されている位置との対応関係を示す識別画像データベースが記憶されている。図１５は、不揮発性記憶部１３４に記憶されている識別画像データベースの構成を示した図である。識別画像データベースには、その文書データ生成装置１３に関し過去に作成された入力支援帳１１のいずれかのページに印刷されている全ての識別画像の各々に関するレコードデータが含まれている。識別画像データベースの各レコードデータは、識別画像を示すフィールド「識別画像」、識別画像が印刷されている版番号、ページ番号および位置を各々示すフィールド「版番号」、フィールド「ページ番号」およびフィールド「位置」を有している。フィールド「位置」は、例えばページ左上の座標（０，０）とし、右方向をｘ座標、下方向をｙ座標とした場合において、位置を座標（単位：ミリメートル）により示すデータである。
【００７０】
さらに、文書データ入力システム２においては、文書データ生成装置１３の不揮発性記憶部１３４に、ユーザの筆跡の特徴を示す筆跡特徴データが記憶されている。例えばユーザは、文書データ入力システム２の利用を開始する際に、文書データ入力システム２の管理会社に対し、指定された複数の文字を書いた紙を送付する。文書データ入力システム２の管理会社はユーザにより書かれた文字を読み取って得られた文字画像データをコンピュータに入力し、既知の技術による筆跡分析アプリケーションに従い処理させることにより、ユーザの筆跡の特徴を示す筆跡特徴データを得る。文書データ入力システム２の管理会社は筆跡特徴データを、例えば画像データ生成装置１５を用いて文書データ生成装置１３に対し送信する。文書データ生成装置１３は画像データ生成装置１５から送信された筆跡特徴データを不揮発性記憶部１３４に記憶する。
【００７１】
図１６は、文書データ入力システム２における画像データ生成装置１５の構成を示した図である。文書データ入力システム２における画像データ生成装置１５の制御部１５１は、プログラムに従った処理により、不揮発性記憶部１５３に記憶されている複数の広告画像データの中から入力支援帳１１に印刷されるべき広告画像を示す広告画像データを選択する広告画像選択部として機能する。また、文書データ入力システム２における画像データ生成装置１５は、プリンタ１７およびイメージスキャナ１８との間で各々通信を行う対プリンタ通信部１５５および対イメージスキャナ通信部１５６を備えている。対プリンタ通信部１５５および対イメージスキャナ通信部１５６は、相手の装置に対しデータを送信する送信部と、相手の装置から送信されたデータを受信する受信部を備える。
【００７２】
文書データ入力システム２における画像データ生成装置１５の不揮発性記憶部１５３に記憶されているデータの構成は、対応関係データ１５３１がフィールド「識別画像」の代わりにフィールド「領域」を備える点と、広告画像データベース１５３６をさらに記憶する点を除き、文書データ入力システム１におけるものと同様である。対応関係データ１５３１がフィールド「識別画像」の代わりにフィールド「領域」を備える点は、不揮発性記憶部１３４に記憶される対応関係データに関し上述したとおりである。
【００７３】
図１７は広告画像データベース１５３６の構成を示した図である。広告画像データベース１５３６は、文書データ入力システム２の管理会社が様々な広告主から入力支援帳１１への掲載を請け負った広告画像の各々に関するレコードデータの集まりである。広告画像データベース１５３６の各レコードデータは、広告画像の内容に関係する１以上のキーワードを示すフィールド「キーワード」、広告画像を示すフィールド「広告画像」および広告画像の掲載期間を示すフィールド「掲載期間」を有している。
【００７４】
［２．２．動作］
続いて、文書データ入力システム２の動作を説明する。まず、文書データ入力システム２においてユーザがタッチした語句もしくはコマンドが特定される仕組みを説明する。ユーザが読み取り装置１２を用いて入力支援帳１１に印刷されたいずれかの内容画像をタッチすると、タッチされた位置の識別画像（図１３参照）を含む画像を示す画像データが読み取り装置１２により生成され、文書データ生成装置１３に送信される。
【００７５】
文書データ生成装置１３は、読み取り装置１２から受信した画像データにより示される画像から、その画像の中心点から最も近い１格子分の識別画像を切り出す。文書データ生成装置１３は識別画像データベース（図１５参照）のレコードデータの中から、フィールド「識別画像」が先に切り出した１格子分の識別画像と一致するものを検索する。
【００７６】
続いて、文書データ生成装置１３は識別画像データベースより検索したレコードデータのフィールド「版番号」により示される版番号に対応する対応関係データ（図１４参照）から、識別画像データベースより検索したレコードデータとフィールド「ページ番号」が一致するレコードデータを抽出する。文書データ生成装置１３は、そのように抽出したレコードデータの中から、フィールド「領域」により示される領域が、先に識別画像データベースより検索したレコードデータのフィールド「位置」により示される位置を含むものを特定する。そのように特定されたレコードデータのフィールド「内容」が示す内容が、ユーザによりタッチされた語句もしくはコマンドの内容である。以上がユーザによりタッチされた語句もしくはコマンドが文書データ生成装置１３により特定される仕組みである。
【００７７】
次に、文書データ入力システム２の全体の動作フローを、図１８および図１９を用いて説明する。文書データ入力システム２の動作フローは文書データ入力システム１の動作フローと多くの部分が共通している。従って、図１８および図１９において、文書データ入力システム１の動作フローと共通するステップには文書データ入力システム１におけるものと同じ符号が付されている。
【００７８】
ユーザにより文書データ生成装置１３の電源が入れられると（ステップＳ１０１）、文書データ生成装置１３は表示部１３５に、筆跡判定に適する複数の文字を表示する（ステップＳ２０１）。ユーザは、読み取り装置１２を用いて、手元の入力支援帳１１のいずれかのページ上でステップＳ２０１において表示された文字を筆記する動作を行う。その結果、ユーザの筆記動作の軌跡上の識別画像を示す画像データが順次、読み取り装置１２から文書データ生成装置１３に送信される。
【００７９】
文書データ生成装置１３は、ステップＳ２０１において読み取り装置１２から送信された画像データにより、読み取り装置１２がタッチされた入力支援帳１１上の位置を順次特定する。そのように特定された複数の位置を直線もしくは曲線で補間することにより、文書データ生成装置１３はユーザにより筆記された文字を示す文字画像データを得る。文書データ生成装置１３は、そのようにして得られた文字画像データを既知の技術による筆跡分析アプリケーションに従い処理し、ユーザの筆跡の特徴を示す筆跡特徴データを得る（ステップＳ２０２）。
【００８０】
文書データ生成装置１３は、ステップＳ２０２において得られた筆跡特徴データにより示される筆跡の特徴と、不揮発性記憶部１３４に予め記憶されている筆跡特徴データにより示される筆跡の特徴との間の類似度が、所定の閾値以上であるか否かを判定する（ステップＳ２０３）。２つの筆跡特徴データにより示される筆跡の特徴が所定の閾値以上の類似度を有さない場合（ステップＳ２０３；Ｎｏ）、文書データ生成装置１３は処理を停止し、ステップＳ１０４以降の処理を行わない。
【００８１】
一方、２つの筆跡特徴データにより示される筆跡の特徴が所定の閾値以上の類似度を有する場合（ステップＳ２０３；Ｙｅｓ）、続いてユーザによる電子メールデータの生成および送信の操作が行われる。電子メールデータの生成および送信に伴う文書データ入力システム２の動作は、文書データ入力システム１におけるものと同様である（ステップＳ１０４〜ステップＳ１１３）。
【００８２】
文書データ入力システム２においても、文書データ入力システム１における場合と同様に、画像データ生成装置１５は各々の文書データ生成装置１３に関し、端末個別データ１５３０に含まれる「最終更新日時」により示される日時から所定期間（例えば１ヶ月間）が経過したか否かを日々監視している。
【００８３】
画像データ生成装置１５は、「最終更新日時」により示される日時から所定期間が経過したと判定した文書データ生成装置１３に関し、広告画像データベース１５３６から、語句使用頻度ランキングデータ１５３３のフィールド「語句」にリストアップされている語句をフィールド「キーワード」に含むレコードデータを抽出し、抽出したレコードデータのフィールド「広告画像」に登録されている広告画像データを新しい版の入力支援帳１１に掲載されるべき広告画像を示す広告画像データとして選択する（ステップＳ２０４）。
【００８４】
なお、ステップＳ２０４において抽出された広告画像に関するレコードデータの数が新しい版の入力支援帳１１のページ数よりも多い場合、画像データ生成装置１５は語句使用頻度ランキングデータ１５３３の上位にリストアップされている語句をフィールド「キーワード」に含むレコードデータを優先的に選択する。また、ステップＳ２０４において抽出された広告画像に関するレコードデータの数が新しい版の入力支援帳１１のページ数よりも少ない場合、画像データ生成装置１５は抽出されなかったレコードデータの広告画像データの中から、例えばランダムに不足数の広告画像データを選択する。
【００８５】
続いて、画像データ生成装置１５は、新しい版の入力支援帳１１に印刷されるべき画像データの生成を行う（ステップＳ２０５）。ステップＳ２０５において生成される画像データは、ステップＳ２０４において選択した広告画像データにより示される広告画像と、語句使用頻度ランキングデータ１５３３に基づき修正の施された入力支援帳雛型データ１５３５の複製により示される内容画像とを示す画像データである。
【００８６】
なお、文書データ入力システム２においては、文書データ入力システム１における場合と異なり、入力支援帳雛型データ１５３５の複製に対しフィールド「識別画像」を追加し、追加したフィールド「識別画像」に未使用の識別画像を登録する処理は不要である。識別画像は予めシートに印刷されているため、ステップＳ２０５において生成される画像データは内容画像と広告画像のみを示せばよいためである。
【００８７】
続いて、文書データ生成装置１３はステップＳ２０５において生成した画像データに従った印刷の指示をプリンタ１７に送信する（ステップＳ２０６）。プリンタ１７は文書データ生成装置１３から送信された指示に従い、新しいシート上に画像を印刷する（ステップＳ２０７）。なお、ステップＳ２０７において印刷に用いられるシートには予め識別画像が印刷されている。
【００８８】
プリンタ１７により印刷の行われたシートはイメージスキャナ１８のシートフィーダ部に搬送される。画像データ生成装置１５はイメージスキャナ１８にシート上の画像の読み取りの指示を送信する（ステップＳ２０８）。イメージスキャナ１８は文書データ生成装置１３から送信された指示に従い、プリンタ１７から搬送されてきたシート上の画像を読み取り、読み取った画像を示す画像データを生成する（ステップＳ２０９）。イメージスキャナ１８は生成した画像データを画像データ生成装置１５に送信する（ステップＳ２１０）。
【００８９】
画像データ生成装置１５は、イメージスキャナ１８から送信された画像データにより示される画像に含まれる格子単位の識別画像を全て切り出し、切り出した識別画像の各々に関し、切り出した識別画像をフィールド「識別画像」、新しい版の番号をフィールド「版番号」、切り出した識別画像が含まれるページ番号をフィールド「ページ番号」、切り出した識別画像のページ上の座標をフィールド「位置」として示すレコードデータを生成する。そのように生成されたレコードデータ群は、更新用の識別画像データベースとなる（ステップＳ２１１）。
【００９０】
また、画像データ生成装置１５は、ステップＳ２０５において画像データの生成に用いた修正された入力支援帳雛型データ１５３５の複製に含まれるフィールド「グループ」を削除して、更新用の対応関係データを生成する（ステップＳ２１２）。画像データ生成装置１５はステップＳ２１１およびステップＳ２１２において生成した更新用の識別画像データベースと更新用の対応関係データを文書データ生成装置１３に送信する（ステップＳ２１３）。画像データ生成装置１５は、端末個別データ１５３０に含まれる「最終更新日時」を、ステップＳ２１３を行った日時を示すように更新する（ステップＳ１１７）。
【００９１】
文書データ生成装置１３は画像データ生成装置１５から送信された更新用の識別画像データベースに含まれる全レコードデータを不揮発性記憶部１３４に記憶されている識別画像データベースに追加登録することにより、識別画像データベースの更新を行う（ステップＳ２１４）。また、文書データ生成装置１３は画像データ生成装置１５から送信された更新用の対応関係データを最新版の入力支援帳１１に関する対応関係データとして、不揮発性記憶部１３４に追加保存する。その結果、不揮発性記憶部１３４に保存されている対応関係データは最新版の対応関係データを含むものに更新される（ステップＳ１１８）。
【００９２】
文書データ入力システム２の管理会社は、ステップＳ２０７において印刷されたシートを製本した後、ユーザに郵送する。図２０は、文書データ入力システム２においてユーザに郵送される入力支援帳１１に含まれるページを例示した図である。
【００９３】
上記のように、文書データ入力システム２によれば、文書データ入力システム１により得られる効果と同様の効果に加え、ユーザ以外の者による文書データ生成装置１３の不正利用をより確実に防止することができるとともに、ユーザの最近の関心事に応じた広告がユーザに提供されるという効果が得られる。
【００９４】
［３．変形例］
上述した実施形態は、本発明の技術的思想の範囲内で様々に変形することができる。また、上述した実施形態において用いられている具体的な数値は説明のための例示であって、それらの数値により本発明が限定的に解釈されるべきではない。以下に変形例を示す。
【００９５】
上述した実施形態における動作フローに含まれるステップの一部は、その時間的な前後関係を入れ替えても同様の結果を得ることができ、それらの変更は本発明の技術的思想の範囲内である。例えば、図７のステップＳ１０７とステップＳ１０８およびステップＳ１０９はいずれが先であっても構わない。
【００９６】
他人による文書データ生成装置１３の不正使用を防止する方法は、上述した実施形態において採用されている方法に限られない。例えば、予めユーザしか知らないパスワードを文書データ生成装置１３に登録しておき、ユーザが入力支援帳１１を用いて正しくパスワードをタッチできた場合に限り、その後の文書データ生成装置１３の処理を許可するようにしてもよい。
【００９７】
上述した第２実施形態において、筆跡特徴データはユーザが筆記した文字に含まれる特徴をアプリケーションプログラムに従い抽出したものとして説明したが、例えば筆記した文字を示す文字画像データそのものを筆跡特徴データとして扱ってもよい。その場合、例えばユーザが筆記したサインを示す文字画像データを筆跡特徴データとして文書データ生成装置１３に登録しておき、ユーザが読み取り装置１２を用いて行った筆記動作により得られた文字画像データと、予め文書データ生成装置１３に登録されている筆跡特徴データとの類似度が所定の閾値以上であるか否かをチェックする構成とすればよい。
【００９８】
上述した実施形態における構成もしくは処理の一部は、技術的な意義を失うことなく他の構成もしくは処理で代替可能であり、それらの変更もまた、本発明の技術的思想の範囲内である。例えば、第２実施形態においては識別画像による位置特定のために、識別画像と位置との対応関係を示す識別画像データベースが用いられるものとしたが、例えば格子点とドットとの距離を変数とする関数式に従い、識別画像データベースを用いることなく座標値を算出する仕組みを採用してもよい。
【００９９】
また、上述した実施形態における各装置が備える機能構成の一部は、本発明の技術的な意義を失うことなく他の装置に移動可能であり、それらの変更もまた、本発明の技術的思想の範囲内である。例えば、第２実施形態における筆跡による本人認証の機能を画像データ生成装置１５に備えさせてもよい。その場合、文書データ生成装置１３はユーザの筆記動作により得られる文字画像データを画像データ生成装置１５に送信し、画像データ生成装置１５において、文書データ生成装置１３から送信されてくる文字画像データにより示される文字の筆跡が、予め登録されている筆跡特徴データにより示される特徴を所定の程度以上に含むか否かの判定が行われる。
【０１００】
別の例として、例えば上述した第２実施形態における広告画像データの選択処理を、画像データ生成装置１５とは異なる広告配信装置に行わせてもよい。その場合、画像データ生成装置１５から広告配信装置に対し語句使用頻度ランキングデータ１５３３が送信され、広告配信装置において広告画像データベース１５３６から広告画像データの選択が行われる。広告配信装置において選択された広告画像データは画像データ生成装置１５に送信され、入力支援帳１１の作成に用いられる。
【０１０１】
上述した第２実施形態においては、広告画像は単に入力支援帳１１に印刷されるのみであるが、例えば広告画像が印刷される領域に広告主のウェブサイトのＵＲＬを対応付け、ユーザによる広告画像のタッチに応じて、広告主のウェブサイトの内容が文書データ生成装置１３に表示されるように構成してもよい。
【０１０２】
上述した実施形態におけるネットワークの形態は例示であって、それに限られない。例えば、文書データ生成装置１３はアクセスポイント１４を介することなく直接インターネットに接続可能であってもよい。インターネットの代わりに他の広域ネットワークが用いられてもよい。また、無線通信であるか有線通信であるかの選択は設計事項である。
【０１０３】
上述した実施形態においては、文書データの作成の例として電子メールデータが作成されるものとしたが、本発明は電子メールデータに限られず、あらゆる文書データの作成において利用可能である。
【０１０４】
上述した実施形態においては、シート上に画像が形成される方法としてインクによる印刷が採用されるものとしたが、エンボス加工による凹凸形成など、他の画像形成方法を採用してもよい。また、識別画像はユーザにより視認される必要はないため、例えば磁気による画像がシート上に形成されてもよい。その場合、読み取り装置１２は光学的に画像を読み取るものに代えて、磁気的に画像を読み取るものが用いられる。
【０１０５】
上述した実施形態においては、文書データ生成装置１３に、古い版の入力支援帳１１に関する対応関係データを最新版の入力支援帳１１に関する対応関係データと同様に保持され、それらが利用されるものとした。また、第２実施形態においては、文書データ生成装置１３が記憶する識別画像データベースに、古い版の入力支援帳１１に印刷されている識別画像に関するレコードデータが最新版の入力支援帳１１に印刷されている識別画像に関するレコードデータと同様に保持され、それらが利用されるものとした。そのため、ユーザによりいずれの版の入力支援帳１１が用いられても入力が可能である。その点を変更し、例えば最新版の入力支援帳１１の領域「始める」が初めてタッチされた際に、古い版の入力支援帳１１に関する対応関係データや識別画像データベースに含まれるレコードデータは不揮発性記憶部１３４から削除されるようにしてもよい。その場合、ユーザは一度最新版の入力支援帳１１を使用すると、それ以降は古い版の入力支援帳１１を利用できなくなるが、不揮発性記憶部１５３の記憶容量の逼迫が防止され、またユーザによりタッチされた語句・コマンドの検索速度を高速化できる。
【０１０６】
また、上述した実施形態においては、新しい版の入力支援帳１１は古い版の入力支援帳１１を全体的に代替するものとしたが、古い版の入力支援帳１１の一部のページを新しいページで差し替えたり、新しいページを追加したりすることにより、最新版の入力支援帳１１ができあがるようにしてもよい。
【０１０７】
本発明にかかる文書データ生成装置および画像データ生成装置は、各々の装置が有する制御部がプログラムに従った処理を行うことにより本発明にかかる文書データ入力システムの構成装置として機能するものとして説明したが、制御部により実現される機能構成部の各々をハードウェアにより各装置に実装させるようにしてもよい。
【０１０８】
本発明にかかる文書データ生成装置および画像データ生成装置は通信機能を有する一般的なコンピュータにプログラムを実行させることにより実現されてもよい。本発明は、そのようにコンピュータにより実行され、本発明にかかる文書データ生成装置および画像データ生成装置を実現するためのプログラムも提供する。また、本発明は、そのようにコンピュータにより実行され、本発明にかかる文書データ生成装置および画像データ生成装置を実現するためのプログラムをコンピュータに読み取り可能に記録した記録媒体も提供する。さらに、本発明は、上述した文書データ入力システムにより実行される文書データ生成のための方法も提供する。
【産業上の利用可能性】
【０１０９】
本発明にかかる方法等は、例えばＯＡリテラシーの低い人々が文字入力により通信を行う場合において利用され得る。
【符号の説明】
【０１１０】
１…文書データ入力システム、２…文書データ入力システム、１１…入力支援帳、１２…読み取り装置、１３…文書データ生成装置、１４…アクセスポイント、１５…画像データ生成装置、１６…メールサーバ、１７…プリンタ、１８…イメージスキャナ、１３１…制御部、１３２…ＲＯＭ、１３３…揮発性記憶部、１３４…不揮発性記憶部、１３５…表示部、１３６…画像データ受信部、１３７…対インターネット通信部、１３８…対プリンタ通信部、１５１…制御部、１５２…揮発性記憶部、１５３…不揮発性記憶部、１５４…対インターネット通信部、１５５…対プリンタ通信部、１５６…対イメージスキャナ通信部、１５３０…端末個別データ、１５３１…対応関係データ、１５３２…語句使用履歴データ、１５３３…語句使用頻度ランキングデータ、１５３４…語句データベース、１５３５…入力支援帳雛型データ、１５３６…広告画像データベース。
【図１】
2011044097.tif 000003
【図２】
2011044097.tif 000004
【図３】
2011044097.tif 000005
【図４】
2011044097.tif 000006
【図５】
2011044097.tif 000007
【図６】
2011044097.tif 000008
【図７】
2011044097.tif 000009
【図８】
2011044097.tif 000010
【図９】
2011044097.tif 000011
【図１０】
2011044097.tif 000012
【図１１】
2011044097.tif 000013
【図１２】
2011044097.tif 000014
【図１３】
2011044097.tif 000015
【図１４】
2011044097.tif 000016
【図１５】
2011044097.tif 000017
【図１６】
2011044097.tif 000018
【図１７】
2011044097.tif 000019
【図１８】
2011044097.tif 000020
【図１９】
2011044097.tif 000021
【図２０】
2011044097.tif 000022